(57)【要約】【課題】  水面付近における気泡による凝集剤の撹拌効果を生かすことにより、汚濁清浄化の効率を高める。【解決手段】  略半球状の膜体である気体保持体５には、その周縁部に沿って紐体１３，１５が接続されている。紐体１５は、水底１に沈めることにより使用される架台３５が有する巻き取り機２５に、巻き取り及び巻き戻し可能に支持されている。架台３５に支持される気体配管３３の先端からは、気泡１７が水中３に放出される。架台３５に支持される液体配管３１の先端からは、凝集剤１９を含む溶液が放出される。放出された気泡１７は、上昇して気体保持体５の内側に気体室７を形成する。放出された溶液に含まれる凝集剤１９は、気泡１７が形成する水流に従って上昇し、水面１１においてはじける気泡１７によって、効果的に撹拌される。【選択図】図１
2015061962.tif 000002
【特許請求の範囲】
【請求項１】
開口部を有し水中において気体を保持し得る気体保持体と、
前記気体保持体を、前記開口部が下方に向くように水中に支持する支持手段と、
支持された前記気体保持体の下方の水中に、気泡を放出する気泡放出手段と、
支持された前記気体保持体の内側に形成される水面ないしその下方の水中に、凝集剤を放出する凝集剤放出手段と、を備える汚濁防止装置。
【請求項２】
前記気体保持体は、主として膜体からなり、折り畳み可能であり、
前記支持手段は、基幹部とその一端部において３以上に分岐した分枝部とを有する紐体であって、当該分枝部の先端部が前記気体保持体の前記開口部の周縁部に接続された紐体と、水底に沈められることにより、前記紐体の基幹部の一部を支持する架台と、を含む、請求項２に記載の汚濁防止装置。
【請求項３】
前記架台は、前記紐体の基幹部を、繰り出し及び引き込み可能に支持する、請求項２に記載の汚濁防止装置。
【請求項４】
前記気体保持体は、中心から３以上の径方向に沿うように放射状に形成されかつ互いに連通する袋体と、当該袋体に気体を保持可能に出し入れする気体栓と、を含んでいる、請求項２又は３に記載の汚濁防止装置。
【請求項５】
前記気泡放出手段は、一端部が前記架台に支持された気体配管と、当該気体配管に気体を送り込む気体送出手段と、を含み、
前記気体配管には、前記一端部に、気泡を放出する放出口が形成されている、請求項２から４のいずれかに記載の汚濁防止装置。
【請求項６】
前記凝集剤放出手段は、一端部が前記架台に支持された液体配管と、当該液体配管に凝集剤を含む溶液を送り込む溶液送出手段と、を含み、
前記液体配管には、当該液体配管の前記一端部に、前記溶液を放出する放出口が形成されている、請求項２から５のいずれかに記載の汚濁防止装置。
【請求項７】
前記気泡放出手段と前記凝集剤放出手段とは、一端部が前記架台に支持された流体配管と、当該流体配管に気体と凝集剤を含む溶液との混合流体を送り込む混合流体送出手段と、を含み、
前記流体配管には、当該流体配管の前記一端部に、前記混合流体を放出する放出口が形成されている、請求項２から４のいずれかに記載の汚濁防止装置。
【請求項８】
開口部を有し水中において気体を保持し得る気体保持体を、前記開口部を下方に向けて水中に配置することと、
水中に配置された前記気体保持体の下方の水中に、気泡を放出することと、
水中に配置された前記気体保持体の内側に形成される水面ないしその下方の水中に、凝集剤を放出することと、を備える汚濁防止方法。
【請求項９】
前記気体保持体の水中における深さを段階的ないし連続的に変更しつつ、前記気泡の放出と前記凝集剤の供給とを行う、請求項８に記載の汚濁防止方法。
【発明の詳細な説明】
【技術分野】
【０００１】
本発明は、汚濁防止装置及び汚濁防止方法に関し、特に、水中の汚濁を凝集剤と気泡とを用いて清浄化する技術に関する。
【背景技術】
【０００２】
従来、この種の汚濁防止技術として、同一出願人による特許文献１に開示される技術が知られる。特許文献１に開示される従来技術は、水面から水中へ張り下ろした汚濁防止膜（当技術分野において「汚濁防止幕」とも記載される）の下端部付近にて、凝集剤と気泡とを噴出することにより、水中に対流を形成し、水中の汚濁を効率よく除去しようとするものである。
【０００３】
出願人は実証実験を繰り返す中で、気泡がはじける水面付近において、凝集剤が一層効果的に水中に撹拌される、という事実を発見した。この効果を生かすことができるならば、水中の汚濁は一層効率よく除去できることとなる。
【先行技術文献】
【特許文献】
【０００４】
【特許文献１】特許第4774112号公報
【発明の概要】
【発明が解決しようとする課題】
【０００５】
本発明は上記の問題点及び発見事実に鑑みてなされたもので、水面付近における気泡による凝集剤の撹拌効果を生かすことにより、汚濁清浄化の効率を高める汚濁防止装置及び汚濁防止方法を提供することを目的とする。
【課題を解決するための手段】
【０００６】
上記課題を解決し上記目的を達成するために、本発明のうち第１の態様によるものは、汚濁防止装置であって、気体保持体と、支持手段と、気泡放出手段と、凝集剤放出手段と、を備えている。前記気体保持体は、開口部を有し水中において気体を保持し得るものである。前記支持手段は、前記気体保持体を、前記開口部が下方に向くように水中に支持するものである。前記気泡放出手段は、支持された前記気体保持体の下方の水中に、気泡を放出するものである。前記凝集剤放出手段は、支持された前記気体保持体の内側に形成される水面ないしその下方の水中に、凝集剤を放出するものである。
【０００７】
この構成によれば、開口部が下方に向くように水中に支持された気体保持体の下方の水中に、気泡が放出されることにより、気体保持体の内側には、予め気体が供給されているか否かに関わりなく、気体室が形成されかつ保持される。気泡は水中を上昇し、気体室によって形成される水面においてはじける。当該水面の下方の水中に放出される凝集剤は、気泡が形成する水流により移動し、水面付近に到達する。従って、当該水面ないしその下方の水中に放出される凝集剤は、水面においてはじける気泡により、水面付近の水中において効果的に撹拌される。これにより、処理対象とする水域の表面よりも下方の水中において、汚濁が効率よく除去される。
【０００８】
本発明のうち第２の態様によるものは、第１の態様による汚濁防止装置であって、前記気体保持体は、主として膜体からなり、折り畳み可能である。さらに、前記支持手段は、基幹部とその一端部において３以上に分岐した分枝部とを有する紐体と、架台とを有する。前記紐体は、前記分枝部の先端部が前記気体保持体の前記開口部の周縁部に接続されている。前記架台は、水底に沈められることにより、前記紐体の基幹部の一部を支持するものである。
【０００９】
この構成によれば、気体保持体が主として膜体からなり、折り畳み可能であるので、搬送及び保管が容易である。さらに、気体保持体に接続された紐体の一部が、水底に沈められた架台により支持される。それにより、気体保持体に形成される空気室により生じる浮力に抗して、気体保持体が水中に支持される。
【００１０】
本発明のうち第３の態様によるものは、第２の態様による汚濁防止装置であって、前記架台は、前記紐体の基幹部を、繰り出し及び引き込み可能に支持するものである。
【００１１】
この構成によれば、架台から気体保持体までの紐体の長さを変えることができるので、架台を操作することにより、気体保持体の水中における深さを変えることができる。これにより、水中の様々な深さにおいて、汚濁除去が効率よく行われる。
【００１２】
本発明のうち第４の態様によるものは、第２又は第３の態様による汚濁防止装置であって、前記気体保持体は、中心から３以上の径方向に沿うように放射状に形成されかつ互いに連通する袋体と、当該袋体に気体を保持可能に出し入れする気体栓と、を含んでいる。
【００１３】
この構成によれば、気体保持体に放射状に形成された袋体（ふくろたい）に、気体栓を通じて気体、例えば空気を供給することにより、気体保持体を展開することができる。それにより、水中への気泡の放出の前に、気体保持体を水中において展開しておくことが可能となり、かつ水中においてあらかじめ浮力を付与しておくことが可能となる。袋体内の気体を抜くことにより、気体保持体は折り畳み可能となるので、搬送及び保管の便宜さは妨げられない。
【００１４】
本発明のうち第５の態様によるものは、第２から第４のいずれかの態様による汚濁防止装置であって、前記気泡放出手段は、一端部が前記架台に支持された気体配管と、当該気体配管に気体を送り込む気体送出手段と、を含んでいる。また、前記気体配管には、前記一端部に、気泡を放出する放出口が形成されている。
【００１５】
この構成によれば、気体送出手段を例えば対象水域の岸辺に置き、これを操作することにより、水底に沈められた架台の位置から、水中に気泡を放出させることができる。気泡は上昇して、気体保持体の内側に形成される水面に達する。このように、架台を水底に沈め、気体送出手段を操作することにより、気泡を気体保持体の内側に形成される水面に容易に送り込むことができる。気体送出手段は、気体配管に初めから接続されているものであっても、使用時に接続するものであってもよい。本構成はその双方を包含する。
【００１６】
本発明のうち第６の態様によるものは、第２から第５のいずれかの態様による汚濁防止装置であって、前記凝集剤放出手段は、一端部が前記架台に支持された液体配管と、当該液体配管に凝集剤を含む溶液を送り込む溶液送出手段と、を含んでいる。また、前記液体配管には、当該液体配管の前記一端部に、前記溶液を放出する放出口が形成されている。
【００１７】
この構成によれば、溶液送出手段を、例えば対象水域の岸辺に置き、これを操作することにより、水底に沈められた架台の位置から、凝集剤を含む溶液を水中に放出させることができる。凝集剤は、気泡が生成する水の流れにより上昇し、気体保持体の内側に形成される水面付近に達する。このように、架台を水底に沈め、溶液送出手段を操作することにより、凝集剤を気体保持体の内側に形成される水面付近に容易に送り込むことができる。溶液送出手段は、液体配管に初めから接続されているものであっても、使用時に接続するものであってもよい。本構成はその双方を包含する。
【００１８】
本発明のうち第７の態様によるものは、第２から第４のいずれかの態様による汚濁防止装置であって、前記気泡放出手段と前記凝集剤放出手段とは、一端部が前記架台に支持された流体配管と、当該流体配管に気体と凝集剤を含む溶液との混合流体を送り込む混合流体送出手段と、を含んでいる。また、前記流体配管には、当該流体配管の前記一端部に、前記混合流体を放出する放出口が形成されている。混合流体送出手段は、流体配管に初めから接続されているものであっても、使用時に接続するものであってもよい。本構成はその双方を包含する。
【００１９】
この構成によれば、混合流体送出手段を、例えば対象水域の岸辺に置き、これを操作することにより、水底に沈められた架台の位置から、水中に気泡と凝集剤を含む溶液とを放出させることができる。気泡は上昇して、気体保持体の内側に形成される水面に達する。凝集剤は、気泡が生成する水の流れにより上昇し、気体保持体の内側に形成される水面付近に達する。このように、架台を水底に沈め、混合流体送出手段を操作することにより、気泡を気体保持体の内側に形成される水面に送り込み、凝集剤を気体保持体の内側に形成される水面付近に送り込むことが、容易である。
【００２０】
本発明のうち第８の態様によるものは、汚濁防止方法であって、開口部を有し水中において気体を保持し得る気体保持体を、前記開口部を下方に向けて水中に配置することと、水中に配置された前記気体保持体の下方の水中に、気泡を放出することと、水中に配置された前記気体保持体の内側に形成される水面ないしその下方の水中に、凝集剤を放出することと、を備えている。
【００２１】
この構成によれば、開口部が下方に向くように水中に配置された気体保持体の下方の水中に、気泡が放出されることにより、気体保持体の内側には、予め気体が供給されているか否かに関わりなく、気体室が形成されかつ保持される。気泡は水中を上昇し、気体室によって形成される水面においてはじける。当該水面の下方の水中に放出される凝集剤は、気泡が形成する水流により移動し、水面付近に到達する。従って、当該水面ないしその下方の水中に放出される凝集剤は、水面においてはじける気泡により、水面付近の水中において効果的に撹拌される。これにより、処理対象とする水域の表面よりも下方の水中において、汚濁が効率よく除去される。
【００２２】
本発明のうち第９の態様によるものは、第８の態様による汚濁防止方法であって、前記気体保持体の水中における深さを段階的ないし連続的に変更しつつ、前記気泡の放出と前記凝集剤の供給とを行う。
この構成によれば、水中の様々な深さにおいて、汚濁除去が効率よく行われる。
【発明の効果】
【００２３】
以上のように本発明によれば、水面付近における気泡による凝集剤の撹拌効果を生かすことにより、汚濁清浄化の効率を高める汚濁防止装置及び汚濁防止方法が実現する。
【図面の簡単な説明】
【００２４】
【図１】本発明の一実施の形態による汚濁防止装置の構成と動作とを示す正面図である。
【図２】図１の汚濁防止装置の使用形態を例示する概略説明図であり、対象水域の上空から看た使用の様子を示している。
【図３】図１の汚濁防止装置の気体保持体について一変形例を示す図であり、（ａ）は上面から見た斜視図であり、（ｂ）は正面断面図である。
【図４】本発明の別の実施の形態による汚濁防止装置の使用形態を例示する概略説明図である。
【発明を実施するための形態】
【００２５】
図１は、本発明の一実施の形態による汚濁防止装置の構成と動作とを示す正面図である。また図２は、この汚濁防止装置の使用形態を例示する概略説明図であり、対象水域の上空から看た使用の様子を示している。この汚濁防止装置１０１は、凝集剤１９と気泡１７とを用いて、汚濁除去の対象とされる対象水域６７（図２）の水中３の汚濁を除去するための装置である。対象水域６７は、例えば湖、池、河川、ダム湖、及び港湾である。汚濁防止装置１０１は、特に、水中３に水面１１を形成し、この水中３の水面１１ないしその付近において凝集剤１９が効果的に撹拌されるように構成される。すなわち汚濁防止装置１０１は、気体保持体５、紐体分岐部１３、紐体基幹部１５、液体配管３１、気体配管３３、及び架台３５を有している。
【００２６】
気体保持体５は、全体で略半球状をなす膜体であり、対象水域６７の水中３において使用に供される。膜体は、例えば布、あるいは柔軟なプラスチックシートであり、それにより気体保持体５は折り畳み可能となっている。気体保持体５の周縁部には、紐体分岐部１３が接続されている。図１の例では、互いに等間隔の８箇所に、紐体の束である紐体分岐部１３の先端部が接続されている。紐体分岐部１３の他端部は、単一の紐体である紐体基幹部に連結している。紐体基幹部１５は、紐体分岐部１３をなす紐体の束が撚り合わされたものであってもよい。紐体は、例えばロープである。図１に例示する気体保持体５、紐体分岐部１３及び紐体基幹部１５は、全体であたかもパラシュートの形状をなす。なお、図１の気体保持体５において、傘の親骨のように天頂から周縁に向かって放射状に延びる複数の曲線は、膜体のつなぎ目、又は膜体を補強するために膜体に縫い付け、若しくは貼り付けられた線状ないし帯状の補強材を表している。かかる補強材は、無くても良い。
【００２７】
架台３５は、一定の重量を有し、対象水域６７の水底３７に沈めることにより使用に供される。架台３５は、紐体基幹部１５を巻き戻し可能に巻き取る巻き取り機２５を有している。それにより、紐体基幹部１５は、巻き取られた部分において、架台３５に支持される。巻き取り機２５は、例えば水中で動作する電気モータ、あるいは空気圧アクチュエータ（図示略）を有し、対象水域６７の岸辺５１、あるいは水面１に浮かべた作業船５９（図２）から遠隔操作することにより、紐体基幹部１５を所望の程度に巻き取り及び巻き戻しすることが可能である。電気モータを動作させるための電力ケーブルや制御用配線、あるいは空気圧アクチュエータを動作させるための空気配管は、例えば岸辺５１から架台３５まで、水底３７あるいは水面１に沿って配設することができる。
【００２８】
架台３５は、例えば本体部の上面に取り付けられた吊り下げ環２７、２９を、さらに有している。吊り下げ環２７、２９は、ロープ等（図示略）の一端部を結びつけ、作業船５９上にて当該ロープを引き上げたり引き下ろしたりすることにより、架台３５を水底３７から引き上げたり、水底３７に沈めたりすることを可能にする。架台３５を水底３７から引き上げたまま、作業船５９を水面１に沿って移動させることにより、架台３５を対象水域６７内の所望の位置の水底３７に配置することができる。このように架台３５は、移動可能である。
【００２９】
架台３５には、さらに、気体配管３３及び液体配管３１の一端部が取り付けられている。気体配管３３の他端は、例えば岸辺５１に仮設置された気体送出ポンプ５３に接続されている。気体送出ポンプ５３は、気体配管３３に、気体、例えば空気を送り込む。送り込まれた空気は、例えば気体配管３３の一端部の先端に形成されている放出口２３から、気泡１７となって水中３に放出される。なお、気体配管３３及び液体配管３１の「一端部」という用語は、図１に例示するように、一端の付近をも許容する広い意味で使用している。
【００３０】
液体配管３１の他端は、例えば岸辺５１に仮設置された液体送出ポンプ５５に接続される。液体送出ポンプ５５には、凝集剤を含む溶液を液体送出ポンプ５５に供給する溶液供給装置５７が接続されている。それにより、液体送出ポンプ５５は、液体配管３１に、凝集剤を含む溶液を送り込む。凝集剤は、水中３の汚濁物質を凝集させ沈降させる薬剤であり、様々な種類のものが周知である。送り込まれた溶液は、例えば液体配管３１の一端部の先端に形成されている放出口２１から、水中３に放出される。
【００３１】
なお、気体配管３３と気体送出ポンプ５３との接続、液体配管３１と液体送出ポンプ５５と溶液供給装置５７との接続は、汚濁防止装置１０１の使用時になされるものであっても、汚濁防止装置１０１の製造及び出荷時に、既に接続されたものであっても良い。また、図２に例示するように、気体配管３３は水中に沈み、水底３７に沿って延設されるものであっても良いが、水面１に浮くように配設されてもよい。気体配管３３の重量次第により、いずれをも採り得る。例えば、気体配管３３が軽量な材料からなる場合には、内部の空洞により比重が軽くなり、水面１に浮くこととなる。この場合に、例えば金属鎖などのウェイト（錘）を気体配管３３に沿って取り付けることにより、気体配管３３を水底３７に沈めてもよい。同様のことは、液体配管３１にも当てはまる。
【００３２】
溶液の形態で水中３に放出された凝集剤１９は、放出された気泡１７が形成する上昇する水流に乗って上昇する。溶液の放出口２１は、好ましくは図１に例示するように、気体の放出口２３よりも上方に位置する。それにより、放出された凝集剤１９が、気泡１７が形成する水流によって、より効果的に運ばれる。
【００３３】
放出された凝集剤１９は、気泡１７とともに上昇し、気体保持体５の下方に開いた開口部を通じて、気体保持体５の内側に至る。気泡１９は、蓄積されることにより、気体保持体５の内側に気体室７を形成する。気体室７は、気体保持体５に浮力を付与する。それにより気体保持体５は、水中３において浮き上がろうとする。架台３５は、浮力に抗する張力を紐体基幹部１５に付与することにより、気体保持体５を水中に支持する。気体保持体５は、気体室７が形成されることにより、図１に例示するように、開いた状態で水中３に保持されたパラシュートのような体をなす。架台３５は、気体保持体５の浮力に抗するに足りる重量を有する。
【００３４】
気泡１７の放出前には、気体保持体５には気体室７は形成されない。気体保持体５は、水中３に架台３５と共に沈められるときに、例えば気体配管３３の放出口２３を覆うような形態で沈められる。それにより、気泡１７の放出により気体保持体５内に気体室７が形成され、気体保持体５は、架台３５からの張力が及ぶまで浮き上がる。これに対して、気体保持体５を水中３に沈めるときに、気体保持体５の内側に空気を保持するようにすることにより、気泡１７の放出前に、予め気体室７を形成することも可能である。この場合には、気泡１７が放出される前に、気体保持体５は水中において既に浮いた状態となる。
【００３５】
放出された気泡１７は、水中３を上昇し、気体室７によって水中３に形成される水面１１においてはじける。気泡１７とともに上昇する凝集剤１９は、水面１１の近くに達する。そうして凝集剤１９は、水面１１においてはじける気泡１７により、水面１１付近の水中において効果的に撹拌される。これにより、対象水域６７の水面１よりも下方の水中において、汚濁が効率よく除去される。
【００３６】
気体保持体５に十分な量の気体室が形成された後には、気体保持体５の内側に形成される水面１１の水位は、図１に例示するように、気体保持体５の周縁付近に位置する。このとき、気泡１７が気体保持体５の内側に供給されることにより、あふれ出た気体が気泡９となって、気体保持体５の周縁から水中３に漏れ出る。図２は、気体保持体５が設置され汚濁除去が行われる作業位置６１の水面１に、気泡９が現れる様子を例示している。気体保持体５の膜体を、ある程度の通気性を有する布等により形成したり、膜体に通気口を形成したりすることにより、気体保持体５の内側に形成される水面１１の水位を、周縁よりも高い位置に保持することも可能である。それにより、気体保持体５の水中３における位置を、より安定させることができる。
【００３７】
気泡１７と凝集剤１９とを水中３に放出しつつ、巻き取り機２５を駆動することにより、気体保持体５を上昇させたり、下降させたりすることができる。それにより水面１１の深さを変えることができる。巻き取り機２５の操作により、水面１１の深さは、連続的に変えることも、段階的に変えることも可能である。このように、凝集剤の撹拌が効果的に行われる水面１１の深さを変えることにより、水中３の様々な深さにおいて、汚濁除去を効率よく行うことが可能となる。さらに、架台３５を移動させることにより、対象水域６７内の様々な位置で、汚濁除去を行うことが可能となる。このように、深さ及び位置を変えつつ、気泡１７と凝集剤１９とを水中３に放出することにより、対象水域６７の汚濁除去を効率よく行うことが可能である。
【００３８】
図３は、汚濁防止装置１０１の気体保持体５について一変形例を示す図であり、（ａ）は上面から見た斜視図であり、（ｂ）は正面断面図である。この気体保持体５Ａは、膜体４７の一部に形成された袋体４５を有している。膜体４７の材料は、例えば気体保持体５の膜体の材料と同一であり、袋体４５の材料は、例えば膜体４７の材料と同一である。袋体４５は、中心から径方向に沿うように、放射状に形成される。図３の例では、放射状に伸びる枝部は６本形成されている。袋体４５は、内部に気体を保持可能な袋状に形成されており、放射状に伸びる６本の枝部の間で、内部が互いに連通している。放射状の袋体４５の中心部には、袋体４５の内部への空気などの気体の出し入れを可能にする気体栓４１が接続されている。気体栓４１は、当該気体栓４１を通じて気体を一旦袋体４５へ供給した後に、閉栓することにより気体の漏出を阻止することも、開栓することにより内部の気体を抜き取ることも可能である。気体栓４１は、このような機能を、例えば逆止弁を有することによって実現してもよい。
【００３９】
放射状に形成された袋体４５に、気体、例えば空気を供給することにより、気体保持体５Ａを展開することができる。展開された気体保持体５Ａは、図３に例示するように、放射状の袋体４５を親骨とする傘が開いた状態に類似の体をなす。このように、気体保持体５Ａは、展開した状態で水中３に導入することが可能である。従って、気体保持体５Ａは、水中３への気泡１７の放出が始まる前に、水中３において既に展開し、しかも、袋体４５の膨らみによる浮力によって、水中３に浮いた状態で、気泡１７の上昇を待ち受けることが可能である。気体保持体５Ａは、使用後には、気体栓４１から気体を抜き出すことにより、気体保持体５（図１）と同様に、折り畳み可能である。このため、気体保持体５Ａは、搬送及び保管の便宜さの点において、気体保持体５に劣らない。
【００４０】
なお、図３には、膜体４７の中央付近、すなわち天頂付近に通気孔４３が形成された例を示しているが、通気孔４３は形成されなくてもよい。また、袋体４５は、完全に気密でなくてもよく、例えば多少の通気性を有する布によって形成されても良い。この場合においても、袋体４５は供給された気体をある時間にわたって保持するので、その間に気泡１７の放出が始まるようにすれば、気体保持体５Ａは水中３において展開した状態を維持することができる。袋体４５が「気体を保持する」とは、このように、ある時間にわたって気体を保持する形態をも含む。
【００４１】
図４は、本発明の別の実施の形態による汚濁防止装置の使用形態を例示する概略説明図である。この汚濁防止装置１０２は、あたかも汚濁防止装置１０１において、気体配管３３と液体配管３１とを、単一の流体配管７７に統合したような形態をなしている。すなわち汚濁防止装置１０２は、気体配管３３と液体配管３１に代えて、流体配管７７を有している。流体配管７７は、液体配管３１等と同様に、例えば、その一端部が架台３５に支持され、当該一端部の先端に流体放出口が形成されている（図示略）。流体配管７７の他端は、流体送出ポンプ７１に接続されている。流体送出ポンプ７１には、この流体送出ポンプ７１に、空気などの気体と凝集剤を含む溶液との混合流体を供給する混合流体供給装置７３が接続されている。混合流体供給装置７３には、さらに、この混合流体供給装置７３に凝集剤を含む溶液を供給する溶液供給装置７５が接続されている。流体配管７７及び各装置７１、７３、７５の間の接続は、汚濁防止装置１０２を使用するときに行うものであっても、汚濁防止装置１０２の製造及び出荷時に、既に接続されているものであっても良い。また、流体配管７７は、水底３７に沈めて使用してもよく、水面１に浮かせて使用してもよい。この点、気体配管３３及び液体配管３１と同様である。
【００４２】
このように構成された汚濁防止装置１０２では、空気などの気体と凝集剤を含む溶液との混合流体が流体配管７７に供給される。供給された混合流体は、例えば流体配管７７の一端部の先端に形成された流体放出口（図示略）から、水中３（図１参照）に放出される。混合流体中に含まれる気体は気泡１７となって水中３に放出される。放出された混合流体中の溶液に含まれる凝集剤１９は、気泡１７とともに水中３を上昇する。
【００４３】
汚濁防止装置１０１、１０２では、凝集剤１９は気泡１７と同様に、空気室７が形成する水面１１の直下の水中３に放出された。これに対し、凝集剤１９の撹拌が最も効果的に行われる水面１１に直接に、凝集剤１９を放出してもよい。例えば、水面１１の上方の気体室７から、凝集剤１９を含む溶液を、水面１１に向かって注ぎ込むようにしてもよい。水面１１に溶液を注ぐには、溶液を供給する液体配管３１を、その一端部が例えば気体保持体５を貫通するように、気体保持体５に取り付け、一端部の先端から溶液が放出されるようにすることができる。或いは、気体室７にあって水面１１に浮くフロート（図示略）を用意し、当該フロートに液体配管３１の一端部を取り付けても良い。
【００４４】
上記実施の形態では、気体保持体５、５Ａは、膜体を主として構成されたが、一端部が開口した硬質の容器、例えば金属製容器として構成されてもよい。また、かかる容器は、紐体１３、１５に代えて、望遠鏡型の伸縮性の棒状体を通じて架台３５に支持されるものであってもよい。伸縮性の棒状体は、アクチュエータ等により駆動される。
【００４５】
上記実施の形態では、液体配管３１等の放出口２１、２３は、液体配管３１等の一端部の先端に形成された。これに対して、例えば、液体配管３１等の一端部の側面に配列する孔として、放出口２１、２３を形成してもよい。
【符号の説明】
【００４６】
３  水中
５，５Ａ  気体保持体
７  気体室
１１  水面
１３  紐体分岐部
１５  紐体基幹部
１７  気泡
１９  凝集剤
２１、２３  放出口
２５  巻き取り機
３１  液体配管
３３  気体配管
３５  架台
３７  水底
５１  岸辺
５３  気体送出ポンプ
５５  液体送出ポンプ
５７  溶液供給装置
６７  対象水域
４１  気体栓
４５  袋体
４７  膜体
７１  流体送出ポンプ
７３  混合流体供給装置
７５  溶液供給装置
７７  流体配管
１０１、１０２  汚濁防止装置
【図１】
2015061962.tif 000003
【図２】
2015061962.tif 000004
【図３】
2015061962.tif 000005
【図４】
2015061962.tif 000006